(57)【要約】【課題】構造が簡単で、操作が容易なディスク破壊装置を提供する。【解決手段】本考案は、底部の後側に一対のラグ（１０１）が設けられ、前側に上スクレーパ（４０）が設けられ、前記上スクレーパ（４０）に鋸歯（４１）が下向きに設けられた上挟み顎（１０）と、前記上挟み顎（１０）に対応して、後側に一対のラグ（２０１）が設けられ、前側に下スクレーパ（５０）が設けられ、前記下スクレーパ（５０）に鋸歯（４１）が上向きに設けられた下挟み顎（２０）と、前記上挟み顎（１０）にあるラグ（１０１）と、前記下挟み顎（２０）にあるラグ（２０１）と、を貫通する枢着ロッド（３０）と、を含むことを特徴とする。【選択図】図７
0003130474.tif 000002
【実用新案登録請求の範囲】
【請求項１】
底部の後側に一対のラグ（１０１）が設けられ、前側に上スクレーパ（４０）が設けられ、前記上スクレーパ（４０）に鋸歯（４１）が下向きに設けられた上挟み顎（１０）と、
前記上挟み顎（１０）に対応して、後側に一対のラグ（２０１）が設けられ、前側に下スクレーパ（５０）が設けられ、前記下スクレーパ（５０）に鋸歯（４１）が上向きに設けられた下挟み顎（２０）と、
前記上挟み顎（１０）にあるラグ（１０１）と、前記下挟み顎（２０）にあるラグ（２０１）と、を貫通する枢着ロッド（３０）と、
を含むことを特徴とするディスク破壊装置。
【請求項２】
前記枢着ロッド（３０）には軸方向に伸縮可能な弾性体（３１）が外装され、前記弾性体（３１）により前記上挟み顎（１０）と下挟み顎（２０）との前側の開口部が平常時に開状態に維持されることを特徴とする請求項１に記載のディスク破壊装置。
【請求項３】
前記上挟み顎（１０）は、開口部が下向きのケースで、上面が人間の掌に合う形状を有し、且つ前記下挟み顎（２０）は、開口部が上向きのケースであることを特徴とする請求項１に記載のディスク破壊装置。
【請求項４】
前記上挟み顎（１０）の前側には下に伸びる二つの柱（１０２）が縦方向に並べられ、前記二つの柱（１０２）の中心に連接穴（１０３）が開設され、連接子（４３）が前記上スクレーパ（４０）にある貫通孔（４２）を貫通して前記連接穴（１０３）にねじ込まれ、これにより、前記上スクレーパ（４０）が前記上挟み顎（１０）の底面に締め付けられることを特徴とする請求項１に記載のディスク破壊装置。
【請求項５】
前記下挟み顎（２０）の前側には上に伸びる一つの柱（２０２）が設けられ、前記柱（２０２）の後ろに設けられた挟み溝（２０４）に前記下スクレーパ（５０）の後端が挿入され、前記柱（２０２）の中心に連接穴（２０３）が開設され、連接子（５３）が前記下スクレーパ（５０）にある貫通孔（５２）を貫通して前記連接穴（２０３）にねじ込まれ、前記下スクレーパ（５０）が前記下挟み顎（２０）に締め付けられることを特徴とする請求項１に記載のディスク破壊装置。
【考案の詳細な説明】
【技術分野】
【０００１】
本考案は、ディスクのレーベル面にあるコーティング層を破壊する装置に係り、特に、構造が簡単であり、操作が容易で、生産コストが低いディスク破壊装置に関するものである。
【背景技術】
【０００２】
ＣＤ、ＶＣＤ、ＤＶＤなどの一般のディスクは、資料がそのレーベル面の凹凸に変換されて記憶され、レーザ読取ヘッドによりディスクに記憶されたデータを読み取ることができるが、そのディスクを使用しなくなる場合には、廃棄する前にディスクのレーベル面を破壊しないと、資料流出の恐れがある。
【０００３】
図１乃至図３は、従来のディスク破壊装置を示す。ディスク破壊装置の従来例１は、Ｕ字形断面を持つ操作体１ａを含み、操作体１ａの前端に開口端２ａが形成され、開口端２ａの後ろに案内溝３ａが内部へ伸び、案内溝３ａにより操作体１ａが上本体４ａと下本体５ａとに分けられる。上本体４ａと下本体５ａとの対向面には一つの垂直方向貫通孔６ａがそれぞれ開設され、垂直方向貫通孔６ａの一側壁にはスクレーパ７ａが垂直に設けられている。
【０００４】
スクレーパ７ａは、ディスクａのディレクトリ導入ゾーンをカバー可能であり、鋸歯８ａが設けてあり、上本体４ａと下本体５ａとにある垂直方向貫通孔６ａの周囲に切り屑止め手段９ａが設けてあり、切り屑止め手段９ａがブラシに似ている止め用ブラシ９１ａである。ディスク破壊装置の従来例１の使用方法は、案内溝３ａ内にディスクａを挿入して、スクレーパ７ａによりディスクａのレーベル面を破壊する。実際の操作は、一つの手で上本体４ａと下本体５ａとを挟んでディスクａの両面を接触させ、他の手でディスクａを保持する。操作の途中では、上本体４ａと下本体５ａとの後ろが閉塞状態であり、その開閉の弾性力が規制される。従って、手の挟み力が不足し、また、案内溝３ａにディスクａが水平に挿入されない場合には、ディスクａと、スクレーパ７ａおよび切り屑止め手段９ａとは斜めに接触するので、スクレーパ７ａおよび切り屑止め手段９ａが湾曲する恐れがある。
【０００５】
図４にはディスク破壊装置の従来例２を示す。ディスク破壊装置の従来例２は、一つの台座１ｂと、一つのモータ２ｂとを含み、モータ２ｂが枢着軸を介して円盤３ｂと連接し、円盤３ｂの内部にはスクレーパ４ｂが設けてあり、台座１ｂの内部には滑止受パッド６ｂを設置するための溝５ｂが設けてある。従来例２の使用方法は、滑止受パッド６ｂの上面にディスクａを設置して、ディスクａのレーベル面にスクレーパ４ｂを設置し、モータ２ｂにより円盤３ｂを駆動することにより、スクレーパ４ｂがディスクａのレーベル面を破壊する。しかし、モータ２ｂが固定されず、且つ滑止受パッド６ｂがディスクａを有効に止めることができず、円盤３ｂがディスクａと同期回転することがあるので、ディスクａのレーベル面の破壊が不均一と言う問題がある。
【特許文献１】実用新案登録第３１０８８３４号公報
【考案の開示】
【考案が解決しようとする課題】
【０００６】
本考案の目的は、構造が簡単で、操作が容易なディスク破壊装置を提供することである。
【課題を解決するための手段】
【０００７】
本考案は、底部の後側に一対のラグ（１０１）が設けられ、前側に上スクレーパ（４０）が設けられ、前記上スクレーパ（４０）に鋸歯（４１）が下向きに設けられた上挟み顎（１０）と、前記上挟み顎（１０）に対応して、後側に一対のラグ（２０１）が設けられ、前側に下スクレーパ（５０）が設けられ、前記下スクレーパ（５０）に鋸歯（４１）が上向きに設けられた下挟み顎（２０）と、前記上挟み顎（１０）にあるラグ（１０１）と、前記下挟み顎（２０）にあるラグ（２０１）と、を貫通する枢着ロッド（３０）と、を含むことを特徴とする。
ここで、前側とはディスクを挿入する入口側を指し、後側とはその反対側を指すものとする。
【０００８】
前記枢着ロッド（３０）には軸方向に伸縮可能な弾性体（３１）が外装され、前記弾性体（３１）により前記上挟み顎（１０）と下挟み顎（２０）との前側の開口部が平常時に開状態に維持されることを特徴とする。
【０００９】
前記上挟み顎（１０）は、開口部が下向きのケースで、上面が人間の掌に合う形状を有し、且つ前記下挟み顎（２０）は、開口部が上向きのケースであることを特徴とする。
【００１０】
前記上挟み顎（１０）の前側には下に伸びる二つの柱（１０２）が縦方向に並べられ、前記二つの柱（１０２）の中心に連接穴（１０３）が開設され、連接子（４３）が前記上スクレーパ（４０）にある貫通孔（４２）を貫通して前記連接穴（１０３）にねじ込まれ、これにより、前記上スクレーパ（４０）が前記上挟み顎（１０）の底面に締め付けられることを特徴とする。
【００１１】
前記下挟み顎（２０）の前側には上に伸びる一つの柱（２０２）が設けられ、前記柱（２０２）の後ろに設けられた挟み溝（２０４）に前記下スクレーパ（５０）の後端が挿入され、前記柱（２０２）の中心に連接穴（２０３）が開設され、連接子（５３）が前記下スクレーパ（５０）にある貫通孔（５２）を貫通して前記連接穴（２０３）にねじ込まれ、前記下スクレーパ（５０）が前記下挟み顎（２０）に締め付けられることを特徴とする。
【考案の効果】
【００１２】
本考案のディスク破壊装置は、構造が簡単で、操作が容易であり、生産コストが低い効果を有する。
【考案を実施するための最良の形態】
【００１３】
以下、図面を参照して本考案の好適な実施形態を詳細に説明する。
【実施例】
【００１４】
図５、図６に示す通り、本考案のディスク破壊装置は、上挟み顎１０と、下挟み顎２０と、枢着ロッド３０と、上スクレーパ４０と、下スクレーパ５０と、を含んで構成される。
上挟み顎１０は、開口部が下向きのケースであり、輪郭が人間の掌に合い、且つその底部の後ろに一対のラグ１０１が設けてあり、その前側には下に伸びた二つの柱１０２が縦方向に並んでおり、各柱１０２の中心に連接穴１０３（例えばねじ穴）が設けられている。
【００１５】
下挟み顎２０は、上挟み顎１０に対応し、開口部が上向きのケースであり、その後ろに一対のラグ２０１が設けられ、ラグ２０１が上挟み顎１０にある二つのラグ１０１の間に設けられて、その前側には上に伸びた一つの柱２０２が設けてあり、柱２０２の中心に連接穴２０３（例えばねじ穴）が設けられ、柱２０２の後ろには挟み溝２０４が設けられている。
【００１６】
枢着ロッド３０は、上挟み顎１０にあるラグ１０１と、下挟み顎２０にあるラグ２０１と、を貫通し、伸縮可能な弾性体３１（例えばバネ）がその軸方向に嵌めてあり、弾性体３１は、一端が上挟み顎１０のラグ１０１に当接し、他端が下挟み顎２０の頂面に当接し、これにより、上挟み顎１０と下挟み顎２０との前部開口部が平常時に開状態に維持される。
【００１７】
上スクレーパ４０は、その前端には上スクレーパ４０の垂直方向に鋸歯４１が下向きに設けられている。また、上挟み顎１０にある連接穴１０３に対応する二つの貫通孔４２が開設してあり、連接子４３（例えばネジ）が上スクレーパ４０にある貫通孔４２を貫通して連接穴１０３にねじ込まれると、上スクレーパ４０が上挟み顎１０の底面に締め付けられる。
【００１８】
下スクレーパ５０は、上スクレーパ４０に対応し、その前端には下スクレーパ５０の垂直方向に鋸歯５１が下向きに設けられている。また、鋸歯５１の後ろには貫通孔５２が開設してあり、下挟み顎２０の挟み溝２０４に下スクレーパ５０の後端が挿入され、貫通孔５２が下挟み顎２０の連接穴２０３に対応し、連接子５３が下スクレーパ５０にある貫通孔５２を貫通して連接穴２０３にねじ込まれると、下スクレーパ５０が下挟み顎２０の底面に締め付けられる。
【００１９】
図７に示す通り、上下挟み顎１０，２０の二対のラグ１０１，２０１の枢着ロッド３０に弾性体３１が嵌め込まれているため、上下挟み顎１０，２０の前が平常時に接触せず開口状態となる。従って、上スクレーパ４０と下スクレーパ５０との間にはディスクａを挿入可能な隙間が常時維持され、また、図８に示すように、手で上下挟み顎１０，２０を握ると、その内部の上下スクレーパ４０，５０にある鋸歯４１，５１がディスクａを確実に挟み、ディスク破壊装置をディスクａの径方向に引張ると、ディスクａのレーベル面が破壊され、これにより、ディスクａに記憶された資料を徹底的に破壊することができる。
【００２０】
以上、本考案の好ましい実施形態について説明したが、本考案は前記実施形態に限定されず、本考案の属する技術範囲を逸脱しない範囲での全ての変更が含まれる。
【図面の簡単な説明】
【００２１】
【図１】ディスク破壊装置の従来例１の上面図である。
【図２】ディスク破壊装置の従来例１の組合状態を示す断面図である。
【図３】ディスク破壊装置の従来例１の斜視概略図である。
【図４】ディスク破壊装置の従来例２の断面図である。
【図５】本考案の実施例の組合状態を示す斜視図である。
【図６】本考案の実施例の分解斜視図である。
【図７】本考案の実施例の組合状態を示す断面図である。
【図８】本考案の実施例の使用状態を示す概略図である。
【符号の説明】
【００２２】
１ａ      操作体
２ａ      開口端
３ａ      案内溝
４ａ      上本体
５ａ      下本体
６ａ      垂直方向貫通孔
７ａ      スクレーパ
ａ        ディスク
８ａ      鋸歯
９ａ      切り屑止め手段
９１ａ    止め用ブラシ
１ｂ      台座
２ｂ      モータ
３ｂ      円盤
４ｂ      スクレーパ
５ｂ      溝
６ｂ      滑止受パッド
１０      上挟み顎
２０      下挟み顎
３０      枢着ロッド
３１      弾性体
４０      上スクレーパ
４１、５１      鋸歯
４２、５２      貫通孔
４３、５３      連接子
５０      下スクレーパ
１０１、２０１    ラグ
１０２、２０２    柱
１０３、２０３    連接穴
２０４    挟み溝
【図１】
0003130474.tif 000003
【図２】
0003130474.tif 000004
【図３】
0003130474.tif 000005
【図４】
0003130474.tif 000006
【図５】
0003130474.tif 000007
【図６】
0003130474.tif 000008
【図７】
0003130474.tif 000009
【図８】
0003130474.tif 000010